(57)【要約】【課題】関心領域の読影をより詳細且つ短時間で行う。【解決手段】カプセル内視鏡システム２の受信装置１２は、ワークステーション１３のデータストレージ９５から、過去の診断で得られた患者１０の診断情報をダウンロードする。受信装置１２のデータ解析回路８１は、診断情報と、カプセル内視鏡１１で検査中に得られる現在情報とを比較する。ＣＰＵ７０は、データ解析回路８１の解析結果に基づいて、カプセル内視鏡１１の撮影のフレームレートが設定された制御コマンドを生成する。生成された制御コマンドは、電波１４ｂとして無線送信される。カプセル内視鏡１１は、制御コマンドを電波１４ｂで無線受信して、制御コマンドで設定されたフレームレートで撮影を行う。【選択図】図１
2008237639.tif 000002
【特許請求の範囲】
【請求項１】
被検体内に嚥下され、被検体内の被観察部位を撮影するカプセル内視鏡と、前記カプセル内視鏡で得られた画像データを無線受信して、これを記憶する受信装置と、前記受信装置から前記画像データを取り込んで、これを記憶・管理する情報管理装置とからなるカプセル内視鏡システムにおいて、
前記情報管理装置は、過去の診断で得られた当該被検体の診断情報を記憶する第一記憶手段を有し、
前記受信装置は、前記情報管理装置から取り込んだ前記診断情報を記憶する第二記憶手段と、
前記診断情報と、前記カプセル内視鏡で検査中に得られる現在情報とを比較する第一データ解析手段と、
前記第一データ解析手段の解析結果に基づいて、前記カプセル内視鏡を構成する各部の動作を制御するための制御コマンドを生成する制御コマンド生成手段と、
前記制御コマンドを無線送信する無線送信手段とを有し、
前記カプセル内視鏡は、前記制御コマンドを無線受信する無線受信手段と、
前記制御コマンドに応じた動作を前記各部に実行させる動作制御手段とを有することを特徴とするカプセル内視鏡システム。
【請求項２】
前記制御コマンドは、前記撮影のフレームレートを設定するものであることを特徴とする請求項１に記載のカプセル内視鏡システム。
【請求項３】
前記制御コマンドは、前記撮影を行わせるためのレリーズ信号であることを特徴とする請求項１または２に記載のカプセル内視鏡システム。
【請求項４】
前記制御コマンドは、一定のフレームレートで前記撮影を行わせる第一の動作モードと、
任意のタイミングで前記撮影を行わせる第二の動作モードとを切り替えるものであることを特徴とする請求項１ないし３のいずれかに記載のカプセル内視鏡システム。
【請求項５】
前記第一の動作モードでは、前記撮影を先に行って、これにより得られた画像データを元に前記制御コマンドの生成を行い、
前記第二の動作モードでは、前記制御コマンドの生成を先に行って、これに応じて前記撮影を行うことを特徴とする請求項４に記載のカプセル内視鏡システム。
【請求項６】
前記制御コマンドは、前記撮影を休止する第三の動作モードに切り替えるものであることを特徴とする請求項１ないし５のいずれかに記載のカプセル内視鏡システム。
【請求項７】
前記制御コマンドは、前記カプセル内視鏡の照明光源部の駆動条件を設定するものであることを特徴とする請求項１ないし６のいずれかに記載のカプセル内視鏡システム。
【請求項８】
前記駆動条件は、前記照明光源部を構成する照明光源の種類、点灯数、照射光量、または点灯時間のうち、少なくともいずれか一つを含むことを特徴とする請求項７に記載のカプセル内視鏡システム。
【請求項９】
前記診断情報は、当該被検体の関心領域周辺の画像情報を含むことを特徴とする請求項１ないし８のいずれかに記載のカプセル内視鏡システム。
【請求項１０】
前記診断情報は、当該被検体の関心領域周辺の位置情報を含むことを特徴とする請求項１ないし９のいずれかに記載のカプセル内視鏡システム。
【請求項１１】
前記位置情報は、前記画像データに関連付けて記憶されていることを特徴とする請求項１０に記載のカプセル内視鏡システム。
【請求項１２】
前記位置情報は、前記関心領域周辺を撮影したときの前記カプセル内視鏡の位置、動作時間、または移動距離のうち、少なくともいずれか一つからなることを特徴とする請求項１０または１１に記載のカプセル内視鏡システム。
【請求項１３】
前記カプセル内視鏡の位置を検出する位置検出手段、前記カプセル内視鏡の動作時間を測定する動作時間測定手段、または前記カプセル内視鏡の移動距離を測定する移動距離測定手段のうち、少なくともいずれか一つを備え、
前記位置検出手段の検出結果、前記動作時間測定手段の測定結果、または前記移動距離測定手段の測定結果のうち、少なくともいずれか一つを前記位置情報として用いることを特徴とする請求項１０ないし１２のいずれかに記載のカプセル内視鏡システム。
【請求項１４】
前記位置検出手段は、前記カプセル内視鏡と前記受信装置との間で送受信される無線信号の電界強度を測定する電界強度測定センサを含むことを特徴とする請求項１３に記載のカプセル内視鏡システム。
【請求項１５】
前記動作時間測定手段は、前記カプセル内視鏡、または前記受信装置に内蔵されたクロック回路を含むことを特徴とする請求項１３または１４に記載のカプセル内視鏡システム。
【請求項１６】
前記移動距離測定手段は、前記カプセル内視鏡の加速度を測定する加速度センサと、
前記加速度センサの測定結果を積分する積分手段とを含むことを特徴とする請求項１３ないし１５のいずれかに記載のカプセル内視鏡システム。
【請求項１７】
前記カプセル内視鏡が幽門を通過したことを検出する幽門通過検出手段を備え、
前記幽門通過検出手段で幽門の通過を検出した時点を、前記動作時間、および前記移動距離の基準点とすることを特徴とする請求項１２ないし１６のいずれかに記載のカプセル内視鏡システム。
【請求項１８】
前記幽門通過検出手段は、前記被検体内のｐＨを測定するｐＨセンサを含むことを特徴とする請求項１７に記載のカプセル内視鏡システム。
【請求項１９】
前記情報管理装置は、一般的な症例から得られた症例情報を記憶する第三記憶手段を有し、
前記受信装置は、前記情報管理装置から取り込んだ前記症例情報を記憶する第四記憶手段と、
前記症例情報と、前記現在情報とを比較する第二データ解析手段とを有し、
前記制御コマンド生成手段は、前記第二データ解析手段の解析結果に基づいて、前記制御コマンドを生成することを特徴とする請求項１ないし１８のいずれかに記載のカプセル内視鏡システム。
【請求項２０】
前記症例情報は、典型的な病変部、または異物のうち、少なくともいずれか一つの画像情報を含むことを特徴とする請求項１９に記載のカプセル内視鏡システム。
【請求項２１】
前記カプセル内視鏡は、前記制御コマンドにより設定される前記各部の動作条件を記憶する第五記憶手段を有することを特徴とする請求項１ないし２０のいずれかに記載のカプセル内視鏡システム。
【請求項２２】
前記無線送信手段および前記無線受信手段は、前記画像データの無線送受信に兼用されていることを特徴とする請求項１ないし２１のいずれかに記載のカプセル内視鏡システム。
【請求項２３】
過去の診断で得られた当該被検体の診断情報を、情報管理装置から受信装置に取り込むデータ取り込みステップと、
前記診断情報と、カプセル内視鏡で検査中に得られる現在情報とを比較するデータ解析ステップと、
前記データ解析ステップにおける解析結果に基づいて、前記カプセル内視鏡を構成する各部の動作を制御するための制御コマンドを生成する制御コマンド生成ステップと、
前記受信装置と前記カプセル内視鏡との間で前記制御コマンドを無線送受信する制御コマンド無線送受信ステップと、
前記制御コマンドに応じた動作を前記各部に実行させる動作制御ステップとを備えることを特徴とするカプセル内視鏡の動作制御方法。
【発明の詳細な説明】
【技術分野】
【０００１】
本発明は、カプセル内視鏡で取得した被検体内の画像を用いて医療診断を行うカプセル内視鏡システム、およびカプセル内視鏡の動作制御方法に関する。
【背景技術】
【０００２】
最近、撮像素子や照明光源などが超小型のカプセルに内蔵されたカプセル内視鏡による医療診断が実用化されつつある。カプセル内視鏡を利用した医療診断では、まず、患者にカプセル内視鏡を嚥下させ、照明光源で人体内の被観察部位（人体内管路の内壁面）を照明しつつ、撮像素子で被観察部位を撮影する。そして、これにより得られた画像データを受信装置に無線送信し、受信装置に設けられたフラッシュメモリなどの記憶媒体に逐次記憶していく。検査中、または検査終了後、ワークステーションなどの情報管理装置に画像データを取り込み、モニタに表示された画像を読影して診断を行う。
【０００３】
カプセル内視鏡の単位時間あたりの撮影回数（フレームレート）は、例えば２ｆｐｓ（フレーム／秒）であり、その撮影時間は約８時間以上にも及ぶため、受信装置に記憶される画像データの量は膨大となる。したがって、検査終了後に画像を読影して診断を行う際に、撮影された画像全てを読影しようとすると、多大な時間と労力が掛かるという問題があった。従来、このような読影の負担を軽くするために、種々の提案がなされている（特許文献１〜３参照）。
【０００４】
特許文献１、および特許文献２に記載の発明では、加速度センサや圧力センサを用いて、人体内におけるカプセル内視鏡の移動速度を検出し、移動速度が速い場合にはフレームレートを上げ、遅い場合には下げている。特許文献３に記載の発明では、カプセル内視鏡と受信装置との間で送受信される無線信号の信号強度を検出し、この検出結果に基づいてカプセル内視鏡の位置を検出し、その移動量を検出している。そして、移動量がある閾値以下であった場合に、撮像素子の駆動を停止させている。
【０００５】
移動速度が遅い、あるいは移動量がある閾値以下であった場合は、カプセル内視鏡が一箇所に長時間滞留している場合が考えられ、この場合は殆ど変化のない同じような画像が何枚も撮影されることとなる。このため、特許文献１、および特許文献２のようにフレームレートを下げたり、特許文献３のように撮像素子の駆動を停止させるようにすれば、類似する画像の数を減らすことができ、読影の負担も軽くすることができる。
【０００６】
上記のように読影の負担を軽くする要望がある一方で、病変部など診断を重点的に行いたい部位（以下、関心領域という）の読影は詳細に行いたいという要望がある。つまり、診断に不要な画像は極力減らし、必要な画像はなるべく多く得られるようにしたい。この課題を解決するために、予め設定されたタイムスケジュールに従って撮影を行うカプセル内視鏡が提案されている（特許文献４参照）。
【０００７】
特許文献４では、例えば、食道の場合はカプセル内視鏡が通過する時間が通常１秒以内と極めて短いため、食道を通過する際にはフレームレートを上げ、カプセル内視鏡が胃の中に落ちたときは、撮影動作を停止するようにタイムスケジュールを設定している。あるいは、カプセル内視鏡が関心領域を通過する際にはフレームレートを上げ、関心領域を通過した後はフレームレートを下げるといった例も開示されている。
【０００８】
また、カプセル内視鏡の各部の動作状態を設定するパラメータを記憶するメモリをカプセル内視鏡に設け、メモリのデータを受信装置から無線で書き換え可能としたカプセル内視鏡が提案されている（特許文献５参照）。特許文献５では、メモリのデータを書き換えることで、照明光源の照射光量やホワイトバランスを適正な値に補正したり、照射光量を部位に応じて変化させたりしている。また、特許文献４の場合と同様に、関心領域付近ではフレームレートを上げ、関心領域から離れたところではフレームレートを下げる例が記載されている。
【特許文献１】特表２００４−５２１６６２号公報
【特許文献２】特開２００６−２２３８９２号公報
【特許文献３】特開２００６−２８８８０８号公報
【特許文献４】特開２００５−１９３０６６号公報
【特許文献５】特開２００４−３５０９６３号公報
【発明の開示】
【発明が解決しようとする課題】
【０００９】
ところで、カプセル内視鏡を利用した医療診断は、従来の挿入型内視鏡による医療診断と比べて患者に対する負担が軽微であるという利点（低侵襲性）がある。このことから、今後、定期検診や術後経過の検査に大いに利用される可能性がある。このため、前回の定期検診時に発見された病変部や、手術を施した病変部など、経過観察を行いたい関心領域の読影を、より詳細且つ短時間で行いたいという要望が高まっている。
【００１０】
しかしながら、特許文献１〜３に記載の技術では、読影の負担を軽くすることはできるが、カプセル内視鏡の移動速度が遅い、あるいは移動量がある閾値以下であったときに、丁度関心領域にあたっていた場合は撮影が省かれてしまうので、関心領域を詳細に読影することができなくなるおそれがある。
【００１１】
また、特許文献４、および特許文献５に記載の技術では、カプセル内視鏡が関心領域を通過する際にはフレームレートを上げ、関心領域を通過した後はフレームレートを下げるという例が開示されているものの、関心領域を特定するための具体例が記載されておらず、やはり特許文献１〜３の場合と同様に、関心領域の読影をより詳細且つ短時間で行いたいという要望に応えることができない。
【００１２】
本発明は、上記課題を鑑みてなされたものであり、関心領域の読影をより詳細且つ短時間で行うことができるカプセル内視鏡システム、およびカプセル内視鏡の動作制御方法を提供することを目的とする。
【課題を解決するための手段】
【００１３】
上記目的を達成するために、請求項１に記載の発明は、被検体内に嚥下され、被検体内の被観察部位を撮影するカプセル内視鏡と、前記カプセル内視鏡で得られた画像データを無線受信して、これを記憶する受信装置と、前記受信装置から前記画像データを取り込んで、これを記憶・管理する情報管理装置とからなるカプセル内視鏡システムにおいて、前記情報管理装置は、過去の診断で得られた当該被検体の診断情報を記憶する第一記憶手段を有し、前記受信装置は、前記情報管理装置から取り込んだ前記診断情報を記憶する第二記憶手段と、前記診断情報と、前記カプセル内視鏡で検査中に得られる現在情報とを比較する第一データ解析手段と、前記第一データ解析手段の解析結果に基づいて、前記カプセル内視鏡を構成する各部の動作を制御するための制御コマンドを生成する制御コマンド生成手段と、前記制御コマンドを無線送信する無線送信手段とを有し、前記カプセル内視鏡は、前記制御コマンドを無線受信する無線受信手段と、前記制御コマンドに応じた動作を前記各部に実行させる動作制御手段とを有することを特徴とする。
【００１４】
前記制御コマンドは、前記撮影のフレームレートを設定するものであることが好ましい。
【００１５】
前記制御コマンドは、前記撮影を行わせるためのレリーズ信号であることが好ましい。
【００１６】
前記制御コマンドは、一定のフレームレートで前記撮影を行わせる第一の動作モードと、任意のタイミングで前記撮影を行わせる第二の動作モードとを切り替えるものであることが好ましい。この場合、前記第一の動作モードでは、前記撮影を先に行って、これにより得られた画像データを元に前記制御コマンドの生成を行い、前記第二の動作モードでは、前記制御コマンドの生成を先に行って、これに応じて前記撮影を行う。
【００１７】
前記制御コマンドは、前記撮影を休止する第三の動作モードに切り替えるものであることが好ましい。
【００１８】
前記制御コマンドは、前記カプセル内視鏡の照明光源部の駆動条件を設定するものであることが好ましい。この場合、前記駆動条件は、前記照明光源部を構成する照明光源の種類、点灯数、照射光量、または点灯時間のうち、少なくともいずれか一つを含む。
【００１９】
前記診断情報は、当該被検体の関心領域周辺の画像情報を含むことが好ましい。また、前記診断情報は、当該被検体の関心領域周辺の位置情報を含むことが好ましい。
【００２０】
前記位置情報は、前記画像データに関連付けて記憶されていることが好ましい。
【００２１】
前記位置情報は、前記関心領域周辺を撮影したときの前記カプセル内視鏡の位置、動作時間、または移動距離のうち、少なくともいずれか一つからなることが好ましい。
【００２２】
前記カプセル内視鏡の位置を検出する位置検出手段、前記カプセル内視鏡の動作時間を測定する動作時間測定手段、または前記カプセル内視鏡の移動距離を測定する移動距離測定手段のうち、少なくともいずれか一つを備え、前記位置検出手段の検出結果、前記動作時間測定手段の測定結果、または前記移動距離測定手段の測定結果のうち、少なくともいずれか一つを前記位置情報として用いることが好ましい。
【００２３】
前記位置検出手段は、前記カプセル内視鏡と前記受信装置との間で送受信される無線信号の電界強度を測定する電界強度測定センサを含む。
【００２４】
前記動作時間測定手段は、前記カプセル内視鏡、または前記受信装置に内蔵されたクロック回路を含む。
【００２５】
前記移動距離測定手段は、前記カプセル内視鏡の加速度を測定する加速度センサと、前記加速度センサの測定結果を積分する積分手段とを含む。
【００２６】
前記カプセル内視鏡が幽門を通過したことを検出する幽門通過検出手段を備え、前記幽門通過検出手段で幽門の通過を検出した時点を、前記動作時間、および前記移動距離の基準点とすることが好ましい。この場合、前記幽門通過検出手段は、前記被検体内のｐＨを測定するｐＨセンサを含む。
【００２７】
前記情報管理装置は、一般的な症例から得られた症例情報を記憶する第三記憶手段を有し、前記受信装置は、前記情報管理装置から取り込んだ前記症例情報を記憶する第四記憶手段と、前記症例情報と、前記現在情報とを比較する第二データ解析手段とを有し、前記制御コマンド生成手段は、前記第二データ解析手段の解析結果に基づいて、前記制御コマンドを生成することが好ましい。この場合、前記症例情報は、典型的な病変部、または異物のうち、少なくともいずれか一つの画像情報を含む。
【００２８】
前記カプセル内視鏡は、前記制御コマンドにより設定される前記各部の動作条件を記憶する第五記憶手段を有することが好ましい。また、前記無線送信手段および前記無線受信手段は、前記画像データの無線送受信に兼用されていることが好ましい。
【００２９】
請求項２３に記載の発明は、カプセル内視鏡の動作制御方法であって、過去の診断で得られた当該被検体の診断情報を、情報管理装置から受信装置に取り込むデータ取り込みステップと、前記診断情報と、カプセル内視鏡で検査中に得られる現在情報とを比較するデータ解析ステップと、前記データ解析ステップにおける解析結果に基づいて、前記カプセル内視鏡を構成する各部の動作を制御するための制御コマンドを生成する制御コマンド生成ステップと、前記受信装置と前記カプセル内視鏡との間で前記制御コマンドを無線送受信する制御コマンド無線送受信ステップと、前記制御コマンドに応じた動作を前記各部に実行させる動作制御ステップとを有することを特徴とする。
【発明の効果】
【００３０】
本発明のカプセル内視鏡システム、およびカプセル内視鏡の動作制御方法によれば、過去の診断情報と、カプセル内視鏡で検査中に得られる現在情報との比較結果に応じて、カプセル内視鏡の各部の動作を制御するので、例えば、関心領域の画像や位置の情報を診断情報として用意しておけば、現在情報との比較により関心領域が特定され、カプセル内視鏡が関心領域を通過する際にはフレームレートを上げ、通過した後はフレームレートを下げるなどの制御を行うことができる。したがって、関心領域の読影をより詳細且つ短時間で行うことができる。
【発明を実施するための最良の形態】
【００３１】
図１において、カプセル内視鏡システム２は、患者１０の口部から人体内に嚥下されるカプセル内視鏡（Capsule Endoscope、以下、ＣＥと略す）１１と、患者１０がベルトなどに取り付けて携帯する受信装置１２と、ＣＥ１１で得られた画像を読影して、医師が診断を行うためのワークステーション（以下、ＷＳと略記する）１３とから構成される。
【００３２】
ＣＥ１１は、人体内管路を通過する際に管路の内壁面を撮像し、これにより得られた画像データを、電波１４ａにて受信装置１２に無線送信する。また、ＣＥ１１は、受信装置１２からの制御コマンドを電波１４ｂで無線受信して、制御コマンドに基づいて動作する。
【００３３】
受信装置１２は、各種設定画面を表示する液晶表示器（以下、ＬＣＤと略記する）１５、および各種設定を行うための操作部１６を備えている。受信装置１２は、ＣＥ１１から電波１４ａで無線送信された画像データを無線受信し、これを記憶する。また、受信装置１２は、過去のカプセル内視鏡検査などの診断で得られた患者１０の診断情報を元に制御コマンドを生成し、これを電波１４ｂにてＣＥ１１に無線送信する。つまり、ＣＥ１１は、制御コマンドによって動作されるスレイブ、受信装置１２は、制御コマンドでＣＥ１１に指令を与えるマスターとして機能する。
【００３４】
ＣＥ１１と受信装置１２間の電波１４ａ、１４ｂの送受信は、ＣＥ１１内に設けられたアンテナ３９（図２、および図３参照）と、患者１０が身に付けたシールドシャツ１７内に装着された複数のアンテナ１８とを介して行われる。アンテナ１８には、ＣＥ１１からの電波１４ａの電界強度を測定する電界強度測定センサ１９が内蔵されている。電界強度測定センサ１９は、電界強度の測定結果を位置検出回路７９（図４参照）に出力する。
【００３５】
ＷＳ１３は、プロセッサ２０と、キーボードやマウスなどの操作部２１と、モニタ２２とを備えている。プロセッサ２０は、例えば、ＵＳＢケーブル２３（赤外線通信などの無線通信を用いても可）で受信装置１２と接続され、受信装置１２とデータの遣り取りを行う。プロセッサ２０は、ＣＥ１１による検査中、または検査終了後に、受信装置１２から画像データを取り込み、患者毎に画像データを蓄積・管理するとともに、検査開始前に、診断情報を受信装置１２に送信する。また、画像データからテレビ画像を生成し、これをモニタ２２に表示させる。
【００３６】
図２において、ＣＥ１１は、透明な前カバー３０と、この前カバー３０に嵌合して水密な空間を形成する後カバー３１とからなる。両カバー３０、３１は、その先端または後端が略半球形状となった筒状に形成されている。
【００３７】
両カバー３０、３１が作る空間内には、被観察部位の像光を取り込むための対物光学系３２と、被観察部位の像光を撮像するＣＣＤやＣＭＯＳなどの撮像素子３３とからなる撮像部３４が組み込まれている。撮像素子３３は、対物光学系３２から入射した被観察部位の像光が撮像面に結像され、各画素からこれに応じた撮像信号を出力する。
【００３８】
対物光学系３２は、前カバー３０の先端の略半球形状となった部分に配された、透明な凸型の光学ドーム３２ａと、光学ドーム３２ａの後端に取り付けられ、後端に向けて先細となったレンズホルダー３２ｂと、レンズホルダー３２ｂに固着されたレンズ３２ｃとから構成される。対物光学系３２は、光軸３５を中心軸として、例えば、前方視野角１４０°〜１８０°の撮影範囲を有し、この撮影範囲における被観察部位の全方位画像を像光として取り込む。
【００３９】
両カバー３０、３１内には、撮像部３４の他に、被観察部位に光を照射する照明光源部３６、送受信回路５５や電力供給回路５８（ともに図３参照）が実装された電気回路基板３７、ボタン型の電池３８、および電波１４ａ、１４ｂを送受信するためのアンテナ３９などが収容されている。
【００４０】
図３において、ＣＰＵ５０は、ＣＥ１１の全体の動作を統括的に制御する。ＣＰＵ５０には、ＲＯＭ５１、およびＲＡＭ５２が接続されている。ＲＯＭ５１には、ＣＥ１１の動作を制御するための各種プログラムやデータが記憶される。ＣＰＵ５０は、ＲＯＭ５１から必要なプログラムやデータを読み出してＲＡＭ５２に展開し、読み出したプログラムを逐次処理する。なお、ＲＡＭ５２には、受信装置１２からの制御コマンドによって設定されるフレームレートのデータも一時的に記憶される。
【００４１】
撮像素子３３には、ドライバ５３、およびＡＦＥ（Analog Front End）５４が接続されている。ドライバ５３は、制御コマンドで設定されたフレームレートで撮影が行われるように、撮像素子３３、およびＡＦＥ５４の動作を制御する。ＡＦＥ５４は、撮像素子３３から出力された撮像信号に対して、相関二重サンプリング、増幅、およびＡ／Ｄ変換を施して、撮像信号をデジタルの画像データに変換する。
【００４２】
アンテナ３９には、送受信回路５５が接続されている。送受信回路５５には、変調回路５６、および復調回路５７が接続され、これらはＣＰＵ５０に接続している。変調回路５６は、ＡＦＥ５４から出力されたデジタルの画像データを電波１４ａに変調し、変調した電波１４ａを送受信回路５５に出力する。復調回路５７は、受信装置１２からの電波１４ｂを元の制御コマンドに復調し、復調した制御コマンドをＣＰＵ５０に出力する。送受信回路５５は、変調回路５６からの電波１４ａを増幅して帯域通過濾波した後、アンテナ３９に出力するとともに、アンテナ３９を介して受信した電波１４ｂを増幅して帯域通過濾波した後、復調回路５７に出力する。
【００４３】
電力供給回路５８は、電池３８の電力をＣＥ１１の各部に供給する。なお、符号５９は、ＣＰＵ５０の制御の下に、照明光源部３６の駆動を制御するためのドライバである。
【００４４】
図４において、ＣＰＵ７０は、受信装置１２の全体の動作を統括的に制御する。ＣＰＵ７０には、バス７１を介して、ＲＯＭ７２、およびＲＡＭ７３が接続されている。ＲＯＭ７２には、受信装置１２の動作を制御するための各種プログラムやデータが記憶される。ＣＰＵ７０は、ＲＯＭ７２から必要なプログラムやデータを読み出してＲＡＭ７３に展開し、読み出したプログラムを逐次処理する。また、ＣＰＵ７０は、操作部１６からの操作入力信号に応じて、受信装置１２の各部を動作させる。
【００４５】
アンテナ１８には、送受信回路７４が接続されている。送受信回路７４には、バス７１を介して、変調回路７５、および復調回路７６が接続されている。変調回路７５は、制御コマンドを電波１４ｂに変調し、変調した電波１４ｂを送受信回路７４に出力する。復調回路７６は、受信装置１２からの電波１４ａを元の画像データに復調し、復調した画像データをＤＳＰ７７に出力する。送受信回路７４は、変調回路７５からの電波１４ｂを増幅して帯域通過濾波した後、アンテナ１８に出力するとともに、アンテナ１８を介して受信した電波１４ａを増幅して帯域通過濾波した後、復調回路７６に出力する。
【００４６】
ＤＳＰ（Digital Signal Processor）７７は、復調回路７６で復調された画像データに対して、γ変換やＹＣ変換などの各種信号処理を施した後、画像データをデータストレージ７８に出力する。データストレージ７８は、例えば、記憶容量が１ＧＢ程度のフラッシュメモリからなる。データストレージ７８は、ＤＳＰ７７から順次出力される画像データを記憶・蓄積する。
【００４７】
位置検出回路７９は、電界強度測定センサ１９による電波１４ａの電界強度の測定結果を元に、人体内のＣＥ１１の現在位置を検出し、この検出結果（以下、位置情報という）をデータストレージ７８、およびデータ解析回路８１に出力する。データストレージ７８は、位置検出回路７９からの位置情報を、ＤＳＰ７７からの画像データに関連付けて記憶する。
【００４８】
なお、人体内のＣＥ１１の位置を検出する具体的な方法としては、例えば、複数のアンテナ１８による電波１４ａの電界強度分布と、人体内のＣＥ１１の位置とを事前に実験で求めておき、これらの関係を対応させたデータテーブルを予めＲＯＭ７２に記憶しておく。そして、電界強度測定センサ１９の測定結果とデータテーブルの電界強度分布とを照らし合わせ、該当するＣＥ１１の位置をデータテーブルから読み出すことで行う。
【００４９】
もしくは、各アンテナ１８への電波１４ａの到達時間のずれ量、すなわち、電波１４ａの位相差を検出し、これを元に位置を検出してもよい。この場合、電波１４ａの位相差は、各アンテナ１８とＣＥ１１との相対的な位置関係（距離）を表している。位置検出回路７９は、適当な換算式やデータテーブルを用いて、電波１４ａの位相差を各アンテナ１８とＣＥ１１との距離に換算することで、ＣＥ１１の位置の検出を行う。さらには、少なくとも二つのアンテナ１８への電波１４ａの到来方向を検出し、二つのアンテナ１８間の距離を基線長とする三角測量の原理に基づいて、ＣＥ１１の位置を検出してもよい。
【００５０】
データベース８０には、プロセッサ２０からの診断情報が記憶される。診断情報とは、例えば、定期検診などで患者１０が過去にカプセル内視鏡検査を行ったときに、病変部であると医師が診断した、あるいは疑診した部位周辺の画像データ、およびその画像データに関連付けられた位置情報を含む。また、患者１０に手術を施して、手術を施した部位の術後経過を診るためにカプセル内視鏡検査を行う場合は、手術を施した部位を座標データ化した位置情報（操作部２１を操作して医師が入力する）も含む。
【００５１】
データ解析回路８１は、データベース８０から診断情報を読み出す。そして、位置検出回路７９からの位置情報（以下、現在位置情報と呼ぶ）と、診断情報に含まれる位置情報（以下、過去位置情報と呼ぶ）とを比較する。また、データ解析回路８１は、ＣＥ１１からの画像データ（以下、現在画像データと呼ぶ）と、診断情報に含まれる画像データ（以下、過去画像データと呼ぶ）とを比較する。データ解析回路８１は、これらの比較結果をＣＰＵ７０に出力する。
【００５２】
現在位置情報と過去位置情報との比較結果は、ＣＥ１１の現在位置が、過去に病変部と診断された部位、あるいは手術を施した部位（以下、纏めて関心領域という）周辺にどの程度近いかを表す尺度となる。つまり、現在位置情報と過去位置情報との一致の度合いが高いほど、ＣＥ１１の現在位置が関心領域周辺であることを示している。データ解析回路８１は、現在位置情報と過去位置情報との比較結果として、例えば、これらの一致の度合いを示す評価値（以下、位置評価値という）を出力する。
【００５３】
一方、現在画像データと過去画像データとの比較結果は、ＣＥ１１で現在撮影している部位が、関心領域周辺であるか否かを表す尺度となる。つまり、現在画像データと過去画像データとの一致の度合いが高いほど、ＣＥ１１が関心領域周辺を撮影していることを示している。データ解析回路８１は、現在画像データと過去画像データとの比較結果として、例えば、これらの一致の度合いを示す評価値（以下、画像評価値という）を出力する。
【００５４】
データ解析回路８１は、デジタルカメラで用いられている周知の顔検出技術（例えば、特開２００５−２８４２０３号公報、特開２００５−２８６９４０号公報、特開２００５−１５６９６７号公報参照）を応用して、画像評価値を算出する。具体的には、例えば、過去画像データの関心領域をテンプレートとし、現在画像データの所定の領域（サーチエリア）毎に、テンプレートとの形状や色の一致の度合いを検出していく。このとき、サーチエリアの大きさや角度を種々変えながら、現在画像データの全領域に亘って検出を行う。そして、一致の度合いが最も高い部分を関心領域と判断し、その部分の面積の大きさを画像評価値とする。
【００５５】
バス７１には、上記各部に加えて、ＬＣＤ１５の表示制御を行うドライバ８２、ＵＳＢコネクタ８３を介してプロセッサ２０とのデータの遣り取りを媒介する通信Ｉ／Ｆ８４、電池８５の電力を受信装置１２の各部に供給する電力供給回路８６などが接続されている。
【００５６】
ＣＰＵ７０は、位置評価値、および画像評価値に応じて、制御コマンドを生成する。ＣＰＵ７０は、生成した制御コマンドを変調回路７５に出力する。制御コマンドとは、撮像素子３３のフレームレートを制御するためのもので、例えば、１６ｆｐｓ（フレーム／秒）、４ｆｐｓ、１ｆｐｓの三段階のフレームレートを設定することが可能となっている。
【００５７】
ここで、位置評価値、および画像評価値の時間的な推移を考察する。まず、関心領域から離れた部位では、両評価値が低く、関心領域に近付くにつれて高くなる。そして、関心領域周辺では、現在位置情報と過去位置情報、および現在画像データと過去画像データが略一致し、両評価値も最大となる。関心領域を過ぎると、両評価値は次第に低くなり、次の関心領域に近付くまで、両評価値は最初の状態と同じく低くなる。
【００５８】
上記考察を踏まえて、診断に不要な画像を極力減らし、重点的に診断を行いたい関心領域周辺の画像を多く得られるようにするためには、ＣＥ１１が関心領域から離れた部位にあるときにはフレームレートを下げ、ＣＥ１１が関心領域周辺にあるときにはフレームレートを上げればよい。
【００５９】
すなわち、ＣＰＵ７０は、ＣＥ１１が関心領域から離れた部位にあり、両評価値が低い状態のとき、フレームレートを１ｆｐｓに設定した制御コマンドを生成する。また、ＣＰＵ７０は、ＣＥ１１が関心領域付近にあり、位置評価値が第一の閾値以上となったとき、フレームレートを４ｆｐｓに設定した制御コマンドを生成する。
【００６０】
さらに、ＣＰＵ７０は、ＣＥ１１が関心領域周辺にあり、画像評価値が第二の閾値以上となったとき、フレームレートを１６ｆｐｓに設定した制御コマンドを生成する。なお、このとき、位置評価値も第一の閾値以上となっているが、位置評価値に関わらず、画像評価値が第二の閾値以上である場合は、４ｆｐｓではなく、１６ｆｐｓにフレームレートが設定される。このため、第一の閾値は、画像評価値が第二の閾値を超えるよりも、ＣＥ１１が関心領域の手前にあるときに位置評価値が超えるような値に設定されている。
【００６１】
また、ＣＥ１１が関心領域を通過し、両評価値が第一、第二の閾値以下となったとき、ＣＰＵ７０は、フレームレートを４ｆｐｓに設定した制御コマンドを生成する。ＣＥ１１が関心領域を離れ、両評価値が最初の状態と同じく低くなり、この状態で所定時間経過したとき、ＣＰＵ７０は、フレームレートを１ｆｐｓに設定した制御コマンドを生成する。つまり、制御コマンドで設定されるフレームレートは、関心領域から離れた部位→関心領域付近→関心領域周辺→関心領域通過→関心領域から離れた部位へのＣＥ１１の移動に伴って、１→４→１６→４→１と推移する。なお、前回設定したフレームレート、およびフレームレートを４ｆｐｓに設定してからの経過時間は、ＲＡＭ７３にデータとして記憶されている。また、ここでは、「関心領域付近」を、「関心領域から離れた部位」と「関心領域周辺」の間にあり、「関心領域周辺」よりも関心領域から若干離れた部位として定義する。
【００６２】
図５において、ＣＰＵ９０は、ＷＳ１３の全体の動作を統括的に制御する。ＣＰＵ９０には、バス９１を介して、モニタ２２の表示制御を行うドライバ９２、ＵＳＢコネクタ９３を経由した受信装置１２とのデータの遣り取りを媒介し、受信装置１２からの画像データを受信する通信Ｉ／Ｆ９４、データストレージ９５、およびＲＡＭ９６が接続されている。
【００６３】
データストレージ９５には、ＷＳ１３の動作に必要な各種プログラムやデータ、医師の診断を扶ける支援ソフトのプログラムなどとともに、診断情報が患者毎に整理して記憶されている。ＲＡＭ９６には、データストレージ９５から読み出したデータや、各種演算処理により生じる中間データが一時記憶される。支援ソフトを立ち上げると、例えば、モニタ２２に支援ソフトの作業ウィンドウが表示される。この作業ウィンドウ上で医師が操作部２１を操作することにより、画像の表示・編集、診断情報の入力などを行うことができる。
【００６４】
次に、上記のように構成されたカプセル内視鏡システム２で検査を行う際の処理手順を、図６、および図７のフローチャート、並びに図８のタイミングチャートを参照して説明する。まず、検査前の準備として、受信装置１２とプロセッサ２０とをＵＳＢケーブル２３で接続し、検査対象の患者１０の診断情報を、ＷＳ１３のデータストレージ９５から受信装置１２のデータベース８０にダウンロードする。次いで、受信装置１２、シールドシャツ１７、およびアンテナ１８を患者１０に装着させ、ＣＥ１１の電源を投入して患者１０にＣＥ１１を嚥下させる。
【００６５】
ＣＥ１１が患者１０に嚥下され、検査の準備が整えられると、照明光源部３６で人体内の被観察部位が照明されつつ、フレームレート１ｆｐｓの初期設定で、撮像素子３３により人体内管路の内壁面が撮像される。このとき、対物光学系３２から入射した人体内の被観察部位の像光は、撮像素子３３の撮像面に結像され、これにより撮像素子３３から撮像信号が出力される。撮像素子３３から出力された撮像信号は、ＡＦＥ５４で相関二重サンプリング、増幅、およびＡ／Ｄ変換が施され、デジタルの画像データに変換される。
【００６６】
ＡＦＥ５４から出力されたデジタルの画像データは、変調回路５６で電波１４ａに変調される。変調された電波１４ａは、送受信回路５５で増幅、帯域通過濾波された後、アンテナ１８から送信される。
【００６７】
アンテナ３９で電波１４ａが受信されると、送受信回路７４で電波１４ａが増幅、帯域通過濾波された後、復調回路７６で元の画像データに復調される。復調された画像データは、ＤＳＰ７７で各種信号処理が施された後、データストレージ７８に出力される。
【００６８】
また、このとき、電界強度測定センサ１９で電波１４ａの電界強度が測定される。そして、電界強度測定センサ１９の測定結果を元に、人体内のＣＥ１１の位置が位置検出回路７９で検出される。位置検出回路７９の検出結果、すなわち、位置情報は、データストレージ７８、およびデータ解析回路８１に出力される。
【００６９】
データ解析回路８１では、データベース８０から診断情報が読み出される。そして、現在位置情報と過去位置情報、および現在画像データと過去画像データとが比較され、比較結果として位置評価値、および画像評価値が出力される。これら両評価値は、ＣＰＵ７０に入力される。
【００７０】
データ解析回路８１からの両評価値を受けて、ＣＰＵ７０では、図７に示す手順で制御コマンドが生成される。すなわち、位置評価値が第一の閾値以下（「関心領域付近？」が「ｎｏ」の場合）で、且つ前回設定したフレームレートが４ｆｐｓでないとき（ＣＥ１１が関心領域から離れた部位にあり、両評価値が低い状態のとき）は、フレームレートが１ｆｐｓに設定される。位置評価値が第一の閾値以上（「関心領域付近？」が「ｙｅｓ」の場合）、且つ画像評価値が第二の閾値以下（「関心領域周辺？」が「ｎｏ」の場合）であったとき（ＣＥ１１が関心領域付近にあったとき）には、フレームレートが４ｆｐｓに設定される。画像評価値が第二の閾値以上（「関心領域周辺？」が「ｙｅｓ」の場合）で、且つ位置評価値が第一の閾値以上であったとき（ＣＥ１１が関心領域周辺にあったとき）は、フレームレートが１６ｆｐｓに設定される。
【００７１】
位置評価値が第一の閾値以下、且つ画像評価値が第二の閾値以下で、さらに前回設定したフレームレートが４ｆｐｓであり、フレームレートを４ｆｐｓに設定してから所定時間経過していなかったとき（ＣＥ１１が関心領域を通過したとき）は、フレームレートは４ｆｐｓのまま変更されない。両評価値が第一、第二の閾値以下で、さらに前回設定したフレームレートが４ｆｐｓであり、フレームレートを４ｆｐｓに設定してから所定時間経過したとき（ＣＥ１１が関心領域から離れたとき）は、フレームレートが１ｆｐｓに設定される。
【００７２】
図６に戻って、ＣＰＵ７０で上記のようにしてフレームレートが設定された制御コマンドは、変調回路７５で電波１４ｂに変調される。変調された電波１４ｂは、送受信回路７４で増幅、帯域通過濾波された後、アンテナ３９から送信される。制御コマンドを電波１４ｂで送信した後、受信装置１２では、ＤＳＰ７７からの画像データ、および位置検出回路７９からの位置情報が関連付けられてデータストレージ７８に記憶される。
【００７３】
アンテナ１８を介して電波１４ｂが受信されると、カプセル内視鏡１１では、受信された電波１４ｂが送受信回路５５を介して復調回路５７に出力される。復調回路５７に出力された電波１４ｂは、復調回路５７で元の制御コマンドに復調され、ＣＰＵ５０に出力される。そして、制御コマンドで設定されたフレームレートのデータが、ＲＡＭ５２に一時的に記憶される。
【００７４】
ＲＡＭ５２に記憶されたフレームレートのデータは、ドライバ５３に読み出される。そして、ドライバ５３により、制御コマンドで設定されたフレームレート、すなわち、１、４、１６ｆｐｓのいずれかで撮影が行われるように、撮像素子３３、およびＡＦＥ５４の動作が制御される。これら一連の処理は、検査が終了して受信装置１２からＣＥ１１に電波１４ｂにて終了コマンドが送信されるまで続けられる。
【００７５】
検査終了後、再び受信装置１２とプロセッサ２０とをＵＳＢケーブル２３で接続し、データストレージ７８に記憶された画像データ、およびこれに関連付けられた位置情報をＷＳ１３のデータストレージ９５にアップロードする。そして、ＷＳ１３にて、支援ソフトを用いて診断を行う。
【００７６】
検査開始時の処理をタイミングチャートで表した図８において、ＣＥ１１では、まず、初期設定の１ｆｐｓのフレームレートで撮影が行われ、これにより得られた画像データが電波１４ａとして受信装置１２に送信される。電波１４ａを受けて、受信装置１２では、データ解析が行われて制御コマンドが生成され、生成された制御コマンドが電波１４ｂとしてＣＥ１１に送信される。
【００７７】
電波１４ｂを受けて、ＣＥ１１では、制御コマンドのフレームレートが記憶、設定される。このとき設定されたフレームレートは、次回の撮影のときに反映される。一方、受信装置１２では、画像データ、および位置情報が記憶される。つまり、本実施形態では、ＣＥ１１で被観察部位の撮影を先に行い、ＣＥ１１と受信装置１２間で画像データを送受信した後に、制御コマンドの生成、送受信、フレームレートの記憶、設定を行う（第一の動作モードに相当）。
【００７８】
フレームレートが１６ｆｐｓに設定された場合は、ＣＥ１１、および受信装置１２の処理は図９（Ａ）に示すようになる。すなわち、図８に示す一回の処理シーケンス（ＣＥ１１：撮影→画像データ送信→フレームレート記憶、設定、受信装置１２：データ解析→制御コマンド送信→データ記憶）が、一秒間で等間隔に１６回（０．５秒間で８回）繰り返される。
【００７９】
また、フレームレートが４ｆｐｓに設定された場合は、（Ｂ）に示すように、一回の処理シーケンスが実行された後は、三回分の処理シーケンスが飛ばされ、一秒間で等間隔に４回（０．５秒間で２回）の処理シーケンスが実行される。同様に、フレームレートが１ｆｐｓに設定された場合は、一回の処理シーケンスが実行された後は、１５回分の処理シーケンスが飛ばされ、一秒間で１回の処理シーケンスが実行される。さらに、（Ｃ）に示すように、フレームレートが１６ｆｐｓから４ｆｐｓに設定変更された場合は、１６ｆｐｓから４ｆｐｓに切り替わる際に一回分の処理シーケンスが飛ばされる。
【００８０】
以上説明したように、検査中に得られる現在情報と過去の診断情報との比較結果に応じて、ＣＥ１１による撮影のフレームレートを設定するので、診断時に詳細に読影したい関心領域の画像の量が豊富になる。このため、関心領域の画像が撮影されないといった懸念がなくなる。また、関心領域の経過観察を目的とした定期検診や術後経過の検査を行う場合に、正確且つ迅速な診断を行うことができ、特に好適である。
【００８１】
反対に、診断時にあまり必要がない関心領域以外の部位の画像の量が少なくなるので、フレームレートを一定にして撮影する場合よりも診断時に扱う画像の量が減り、医師の負担を軽くすることができる。また、画像の量が少なくなるので、データストレージ７８の容量が小さくて済み、部品コストを削減することが可能となる。さらに、フレームレートを一定にして撮影する場合よりも撮影回数が減るので、撮影に掛かる電力消費も抑えることができ、ＣＥ１１の長寿命化を図ることができる。なお、関心領域の画像の量は増えるが、関心領域は人体内のごく一部であり、その他大部分を占める関心領域以外の部位の画像の量が少なくなれば、トータルの画像の量や撮影回数は、フレームレートを一定にして撮影する場合よりも減ることが容易に理解されよう。
【００８２】
上記実施形態では、制御コマンドで設定されたフレームレートでＣＥ１１による撮影を行っているが、これに代えて、あるいは加えて、制御コマンドをＣＥ１１に一回の撮影を行わせるためのレリーズ信号とし、制御コマンドの受信に応じてＣＥ１１で被観察部位の一回の撮影を行わせてもよい（第二の動作モードに相当）。この場合、検査時の処理は上記実施形態と若干異なり、図１０のフローチャート、および図１１のタイミングチャートに示すようになる。
【００８３】
図１０、および図１１において、診断情報のダウンロードなどが行われ、検査の準備が整えられると、制御コマンドが電波１４ｂにて受信装置１２からＣＥ１１に送信される。
【００８４】
アンテナ１８を介して電波１４ｂが受信されると、ＣＥ１１では、上記実施形態のようにフレームレートの記憶、設定は行われず、直ちに一回の撮影が行われ、これにより得られた画像データが電波１４ａにて受信装置１２に送信される。
【００８５】
受信装置１２では、位置検出が行われ、画像データ、および位置情報が関連付けられて記憶された後、上記実施形態と同様にデータ解析が行われる。そして、ＣＥ１１が関心領域から離れた部位にあったときは、適当な時間間隔を空けて制御コマンドが生成され、電波１４ｂにて送信される。ＣＥ１１が関心領域付近、または関心領域周辺にあったときは、ＣＥ１１が関心領域から離れた部位にあったときと比べて密な時間間隔で制御コマンドが生成され、電波１４ｂにて送信される。ＣＥ１１では、電波１４ｂを受信したタイミングでその都度一回の撮影が行われる。これら一連の処理は、上記実施形態と同様に、終了コマンドが送信されるまで続けられる。
【００８６】
このように、制御コマンドをレリーズ信号とし、制御コマンドを受信したタイミングで撮影を行うようにすれば、決められた時間間隔で撮影を行う上記実施形態とは異なり、図１２に示すように、任意の時間間隔での撮影が可能となる。
【００８７】
なお、制御コマンドで設定されたフレームレートで撮影を行う第一の動作モードと、制御コマンドの受信に応じて一回の撮影を行う第二の動作モードを併用する場合は、これらの動作モードの切り替えも、制御コマンドで行えばよい。
【００８８】
ＣＥ１１が関心領域から離れた部位にあって、その状態が所定時間続いた場合、あるいは、次の関心領域に到達するまでに時間がある場合など、積極的に撮影を行う必要がない場合に、撮像素子３３やドライバ５３、ＡＦＥ５４などの撮影に関わる各部の動作を休止させてもよい（第三の動作モードに相当）。この場合も、第三の動作モードへの切り替えは、制御コマンドで行うようにする。また、この場合は撮影が行われないので、電波１４ａによる画像データの送信は当然行われないが、位置検出用のビーコン信号として電波１４ａを定期的に送信する。なお、位置検出の必要がない場合は、送受信回路５５、および変調回路５６の動作も休止させ、ビーコン信号の送信を行わなくてもよい。
【００８９】
なお、制御コマンドで照明光源部の駆動条件を設定してもよい。この場合、例えば、図１３に示すＣＥ１００のように照明光源部１０１を構成する。
【００９０】
前カバー３０の先端側からＣＥ１００を見た図１３において、照明光源部１０１は、四個の近傍照射用光源１０２（縦線ハッチングで示す）、二個の遠方照射用光源１０３（横線ハッチングで示す）、および二個の非白色光源１０４の計八個の光源からなる。近傍照射用光源１０２は、光軸３５を中心とする円の周りに、９０°毎に等間隔で配置されている。遠方照射用光源１０３、および非白色光源１０４は、近傍照射用光源１０２の位置から４５°ずれた位置に配置されている。
【００９１】
図１４に示すように、近傍照射用光源１０２には、比較的広い照射範囲（°）で、ある程度の照射強度が得られるような指向特性を有し、照射距離が比較的短い白色光源が用いられている。また、図１５に示すように、遠方照射用光源１０３には、近傍照射用光源１０２よりも狭い照射範囲で照射強度が得られるような指向特性を有し、近傍照射用光源１０２よりも照射距離が長い白色光源が用いられている。非白色光源１０４には、分光画像を取得するために、白色光源とは異なる波長域の光、例えば、赤、青、緑色などの光を発する光源が用いられている。
【００９２】
この場合、ＣＥ１００と関心領域との位置関係に応じて、点灯させる光源を変更する。例えば、ＣＥ１００が関心領域から離れた部位にあるときには、関心領域の発見を早めるために、対向する二個の近傍照射用光源１０２、および全ての遠方照射用光源１０３を点灯させる。ＣＥ１００が関心領域付近にあるときには、近傍照射用光源１０２、および遠方照射用光源１０３を全て点灯させる。ＣＥ１００が関心領域周辺にあるときには、鮮明な関心領域の画像を得るために、近傍照射用光源１０２を全て点灯させ、遠方照射用光源１０３を消灯させる。あるいは、近傍照射用光源１０２、および遠方照射用光源１０３に流れる電流、もしくはこれらの光源の点灯時間を制御することで、ＣＥ１００と関心領域との位置関係に適応した照射光量としてもよい。このようにすれば、常に最適な照明環境で撮影を行うことができ、正確な診断に供する鮮明な関心領域の画像を得ることができる。また、照射光源部の動作に掛かる電力消費を最低限に抑えることができる。
【００９３】
上記実施形態では、位置情報を得るために電界強度測定センサ１９を用いているが、この代わりに、例えば、ＣＥ１１に磁石、アンテナ１８にホール素子を設けて、磁石による磁界の強度をホール素子で測定して、この測定結果を元に、位置検出回路７９で人体内におけるＣＥ１１の位置を検出してもよい。また、電界強度測定センサ１９やホール素子などを用いずに、例えば、周知の画像認識技術を利用して画像データを解析する画像解析部を受信装置１２に設け、この画像解析部でＣＥ１１からの画像データを解析することで、ＣＥ１１の位置を検出してもよい。この場合、例えば、典型的な臓器の特定部位の画像をテンプレートとして用意し、このテンプレートとＣＥ１１からの画像データの一致の度合いに基づいて、ＣＥ１１の位置を特定する。
【００９４】
もしくは、ＣＥ１１の位置を直接的に検出するのではなく、間接的に検出してもよい。例えば、ＣＥ１１を嚥下して検査を開始したときからのＣＥ１１の動作時間を計測し、上記実施形態で直接的に検出したＣＥ１１の位置に代えて、あるいは加えて、この計測結果を元に制御コマンドを生成してもよい。この場合、例えば、ＣＰＵ５０やＣＰＵ７０の内蔵クロック回路５０ａ、７０ａ（図３、および図４参照）で動作時間を計測する。あるいは、初回の検査で一定のフレームレートで撮影していた場合は、そのときの画像データの累計枚数から動作時間を計算する。そして、上記実施形態の位置の場合と同様に、画像データに関連付けて動作時間を記憶しておく。検査の際には、計測した現在の動作時間と記憶された過去の動作時間との一致の度合いを示す評価値を算出し、算出した評価値に応じて制御コマンドを生成する。
【００９５】
また、例えば、ＣＥを嚥下して検査を開始したときからのＣＥの移動距離を計測し、位置や動作時間に代えて、あるいは加えて、この計測結果を元に制御コマンドを生成してもよい。この場合、図１６に示すＣＥ１１０のように、加速度センサ１１１、および積分回路１１２を設ける。
【００９６】
加速度センサ１１１は、例えば、Ｘ、Ｙ、Ｚの三軸の加速度を測定可能な三軸加速度センサからなり、ＣＥ１１０の進行方向（後カバー３１側から前カバー３０側に向かう光軸３５に平行な方向）、および進行方向に直交する二軸の加速度を測定し、この測定結果を積分回路１１２に出力する。積分回路１１２は、加速度センサ１１１の測定結果を適当な時間間隔で二回積分して、ＣＥ１１０の移動距離を求め、求めた移動距離のデータをＣＰＵ５０に出力する。
【００９７】
ＣＰＵ５０は、積分回路１１２から逐次出力される移動距離を積算して、ＣＥ１１０のトータルの移動距離を算出する。そして、位置や動作時間の場合と同様に、画像データに関連付けて移動距離を記憶しておく。検査の際には、位置や動作時間の場合と同様にして、制御コマンドを生成する。このように、直接的に検出したＣＥの位置だけでなく、動作時間や移動距離を位置情報として併用すれば、より精密なＣＥと関心領域との位置関係を検出することができる。
【００９８】
さらに、検査を開始したときからの動作時間や移動距離ではなく、ＣＥが胃の出口である幽門を通過したことを検出し、検出した時点を動作時間や移動距離の基準点（ゼロ点）としてもよい。この場合、例えば、図１７に示すＣＥ１２０のように、ｐＨセンサ１２１を内蔵させる。
【００９９】
ｐＨセンサ１２１は、両カバー３０、３１からセンサ部が露呈されており、人体内の管路のｐＨを測定し、測定結果をＣＰＵ５０に出力する。ＣＥ１２０が幽門を通過した際には、胃は強酸性（ｐＨ１〜３）、胃から繋がる小腸はアルカリ性であるため、ｐＨセンサ１２１の測定結果は酸性からアルカリ性に変化する。ＣＰＵ５０は、このｐＨセンサ１２１の測定結果の変化をモニタリングして、測定結果が酸性からアルカリ性に変化したときに、その旨を表す信号を電波１４ａにて送信させる。
【０１００】
ｐＨセンサ１２１の測定結果が酸性からアルカリ性に変化したことを表す信号が電波１４ａで受信されると、受信装置１２で動作時間、または移動距離（この場合は加速度センサ１１１、積分回路１１２をＣＥ１２０に設ける）の計測が開始される。このようにすれば、患者によってばらつきがある胃の通過時間や移動距離をキャンセルすることができる。また、カプセル内視鏡検査で特に注目すべき小腸以降の臓器に関わる正確な位置情報を得ることができる。なお、ｐＨセンサ１２１を用いずに、周知の画像認識技術を利用して受信装置１２で画像データを解析し、この解析結果に基づいて幽門の通過を検出してもよい。なお、この場合は高精度な画像認識は必要なく、胃とそれ以外の部位を識別することができる程度でよい。
【０１０１】
これまで説明した位置情報の検出の仕方は一例であり、本発明を特に限定するものではない。要するに、人体内におけるＣＥの位置が分ればよく、上記で示した例以外の他の如何なる方法を用いてもよい。
【０１０２】
上記実施形態では、診断情報を元に制御コマンドを生成する例を挙げて説明したが、この場合は以前カプセル内視鏡検査をした患者か、あるいは手術を施した患者のみの適用に限られる。そこで、診断情報に加えて、一般的な症例から得られた症例情報を元に制御コマンドを生成してもよい。症例情報とは、他の患者のカプセル内視鏡検査で得られた病変部周辺の画像データや、典型的な形状、色、大きさなどの特徴量をもつ病変部、あるいは寄生虫や食べ滓などの異物の画像データを含む。つまり、症例情報は、過去の診断によって培われた膨大なデータの中から、代表的なデータを選出したものである。
【０１０３】
この場合も上記実施形態と同様に、現在画像データと症例情報の画像データとを比較し、画像評価値を算出する。そして、ＣＰＵ７０で画像評価値に応じて制御コマンドを生成する。但し、この場合、症例情報は位置情報をもたないので、位置評価値の算出、およびこれに応じた制御コマンドの生成は行われない。
【０１０４】
このようにすれば、診断情報を元に制御コマンドを生成する場合と同様の処理を行うことができ、初めてカプセル内視鏡検査をする患者にも対処することができる。また、前回の検査では発生していなかった病変部を発見することができ、経過観察を行いたい部位以外の病変部（偶発病変）の発見に役立つ。なお、受信装置１２、およびＷＳ１３の症例情報の記憶先は、診断情報と同じデータベース８０、およびデータストレージ９５であってもよいし、これとは別に症例情報専用のデータベース、およびデータストレージを設けてもよい。データ解析も同様に、診断情報と同じデータ解析回路８１で行ってもよいし、専用のデータ解析回路で行ってもよい。
【０１０５】
以上説明した各実施形態を具現化した場合のフレームレートの推移例を図１８に示す。また、制御コマンドの一例を図１９に示す。
【０１０６】
図１８において、まず、検査を開始したときは、（Ａ）に示すように、初期設定のフレームレート１ｆｐｓでＣＥが起動される。ＣＥが人体内の管路を移動して、関心領域付近に到達したときには、関心領域の発見に備えるために、（Ｂ）に示すようにフレームレートが４ｆｐｓに設定変更される。そして、ＣＥが関心領域周辺に到達したときは、十分な撮影枚数を確保するために、（Ｃ）に示すようにフレームレートが１６ｆｐｓに設定変更される。ＣＥが関心領域を通過したときは、次の関心領域の発見に備えるために、（Ｄ）に示すように再びフレームレートが４ｆｐｓに戻される。フレームレートを４ｆｐｓに設定してから所定時間経過したときには、電力消費を抑えるために、（Ｅ）に示すようにフレームレートが２ｆｐｓに設定変更される。
【０１０７】
症例情報を元にしたデータ解析で病変部が発見されたときには、（Ｃ）の場合と同様、（Ｆ）に示すようにフレームレートが１６ｆｐｓに設定変更される。ＣＥが病変部を通過したときは、（Ｄ）の場合と同様、（Ｇ）に示すように再びフレームレートが４ｆｐｓに戻される。フレームレートを４ｆｐｓに設定してから所定時間経過したときには、（Ｅ）の場合と同様、（Ｈ）に示すようにフレームレートが２ｆｐｓに設定変更される。
【０１０８】
（Ｉ）に示すように、フレームレートを２ｆｐｓに設定してからさらに所定時間経過したときには、電力消費を最小限に抑えるために、（Ｊ）に示すように、撮影を休止させて位置検出用のビーコン信号のみを送信する第三の動作モード（低電力モード）に移行する。
【０１０９】
症例情報を元にしたデータ解析で異物が発見されたときには、十分な撮影枚数を確保するために、（Ｋ）に示すようにフレームレートが８ｆｐｓに設定変更される。ＣＥが異物を通過したときは、（Ｄ）、（Ｇ）の場合と同様、（Ｌ）に示すように再びフレームレートが４ｆｐｓに戻される。
【０１１０】
図１９において、制御コマンドは、ＣＥの電力制御に関わる電源系、撮像素子３３やＡＦＥ５４の動作制御に関わる撮影系、照明光源部１０１の動作制御に関わる照明系、各種動作条件が予め設定されたプリセット、およびその他の種別に分けられている。
【０１１１】
電源系の制御コマンドは、ＣＥの起動時や、予期せぬ不具合が発生したときにＣＥをシステムリセットするための「Ｒｅｓｅｔ」（コマンド００）、ビーコン信号を送信しない超低電力モードに移行するための「Ｄｅｅｐ  Ｓｌｅｅｐ」（コマンド０２）、ビーコン信号を送信する低電力モードに移行するための「Ｓｌｅｅｐ」（コマンド０３）、および「Ｄｅｅｐ  Ｓｌｅｅｐ」、「Ｓｌｅｅｐ」の状態から通常の状態に復帰させるための「Ｗａｋｅ−Ｕｐ」（コマンド０１）からなる。
【０１１２】
撮影系の制御コマンドは、一定のフレームレートでＣＥに撮影を行わせる第一の動作モード（連続撮影）と、任意のタイミングでＣＥに撮影を行わせる第二の動作モード（１ショット撮影）とを切り替えるための「Ｍｏｄｅ」（コマンド１０（ｎ）、引数ｎ＝１が第一の動作モード、２が第二の動作モードに対応）、フレームレートを設定するための「フレームレート」（コマンド１１（ｎ）、引数ｎ＝１〜３２、フレームレートｎ／２ｆｐｓ）、および１ショット撮影時にレリーズ信号として送信する「レリーズ」（コマンド１５）からなる。
【０１１３】
照明系の制御コマンドは、駆動させる照明光源の種類を指示するための「照明種類」（コマンド２０（ｎ）、引数ｎ＝１〜４、引数ｎ＝１が近傍照射用光源１０２、２が遠方照射用光源１０３、３が近傍照射用光源１０２、遠方照射用光源１０３両方、４が非白色光源１０４にそれぞれ対応）、照明光源の点灯数を指示するための「点灯数」（コマンド２１（ｎ）、引数ｎ＝２、４、引数ｎ＝２が点灯数二個、４が点灯数四個に対応）、照明光源の照射光量を指示するための「光量」（コマンド２２（ｎ）、引数ｎ＝０〜２５５、電流０．１×ｎ（ｍＡ））、および照明光源の点灯時間を指示するための「点灯時間」（コマンド２３（ｎ）、引数ｎ＝０〜２５５、点灯時間０．１×ｎ（ｍＳｅｃ））から構成される。
【０１１４】
プリセットの制御コマンドは、関心領域周辺を撮影する場合に好適な「条件０」（コマンド３０、フレームレート１６ｆｐｓ、近傍照射用光源１０２を四個点灯）、関心領域付近を撮影する場合に好適な「条件１」（コマンド３１、フレームレート４ｆｐｓ、近傍照射用光源１０２を四個、遠方照射用光源１０３を二個点灯）、および関心領域から離れた部位を撮影する場合に好適な「条件２」（コマンド３２、フレームレート０．５ｆｐｓ、近傍照射用光源１０２を二個、遠方照射用光源１０３を二個点灯）からなる。
【０１１５】
その他の制御コマンドは、以前の動作条件に変更がない場合に送信する「継続」（コマンド４０）や、電波１４ａの送信電力を変更するための「送信電力」（コマンド４１（ｎ）、引数ｎ＝１〜１６、送信電力Ｐ＝ｎ／１６×Ｐｍａｘ、Ｐｍａｘ：規格値を超えない送信電力の最大値）などから構成される。ＣＥは、これら制御コマンドの番号でその種類を判別し、与えられた引数でどのような動作条件が設定されているかを判断する。
【０１１６】
なお、図１８、および図１９に示す例からも分かるように、フレームレートの値や照明光源の点灯数などは、上記実施形態で例示した組み合わせに限らず、ＣＥ１１の仕様に応じて適宜変更することが可能である。
【０１１７】
ここで、検査対象の患者以外の診断情報を誤って受信装置１２にダウンロードしてしまい、検査が正常に行われない場合が懸念される。このため、受信装置１２にダウンロードした診断情報が、確かに検査対象の患者のものであるかを認証する必要がある。
【０１１８】
認証の方法としては、例えば、診断情報と個々の患者を認証するための個人認証ＩＤとを関連付けて記憶し、検査対象の患者の個人認証ＩＤを検査前にＣＥに登録しておく。診断情報をダウンロードする際には、診断情報とともに個人認証ＩＤの情報も受信装置１２に取り込む。そして、検査開始前に、個人認証ＩＤの情報を電波１４ａにてＣＥから受信装置１２に送信し、電波１４ａで送信された個人認証ＩＤと、診断情報をダウンロードした際に取り込んだ個人認証ＩＤとを受信装置１２側で照合する。あるいは、データ解析の結果、本来あるべき部位に関心領域がなかった場合は、診断情報を誤ってダウンロードした可能性が高いので、警告を表示するなどして検査を中止させてもよい。
【０１１９】
上記実施形態では、共通のアンテナや送受信回路を用いて画像データと制御コマンドを送受信しているが、画像データ用、制御コマンド用に別々のアンテナや送受信回路を設けてもよい。
【０１２０】
なお、上記実施形態で示したデータ解析の方法や制御コマンドの生成の仕方、位置検出の方法、制御コマンドで動作制御するＣＥの各部などは一例であり、本発明の主旨を逸脱しなければ、如何様な態様にも適宜変更することができる。
【図面の簡単な説明】
【０１２１】
【図１】カプセル内視鏡システムの構成を示す概略図である。
【図２】カプセル内視鏡の内部構成を示す断面図である。
【図３】カプセル内視鏡の電気的構成を示すブロック図である。
【図４】受信装置の電気的構成を示すブロック図である。
【図５】ワークステーションの電気的構成を示すブロック図である。
【図６】カプセル内視鏡検査の処理手順を示すフローチャートである。
【図７】制御コマンドを生成する際の処理手順を示すフローチャートである。
【図８】カプセル内視鏡検査の処理手順を示すタイミングチャートである。
【図９】カプセル内視鏡検査の処理手順を示すタイミングチャートであり、（Ａ）はフレームレート１６ｆｐｓ、（Ｂ）は４ｆｐｓ、（Ｃ）はフレームレートを１６ｆｐｓから４ｆｐｓに設定変更した場合をそれぞれ示す。
【図１０】制御コマンドをレリーズ信号とした場合のカプセル内視鏡の検査の処理手順を示すフローチャートである。
【図１１】制御コマンドをレリーズ信号とした場合のカプセル内視鏡の検査の処理手順を示すタイミングチャートである。
【図１２】制御コマンドをレリーズ信号とした場合のカプセル内視鏡の検査の処理手順を示すタイミングチャートである。
【図１３】照明光源部の別の実施形態を示す平面図である。
【図１４】近傍照射用光源の指向特性を示す説明図である。
【図１５】遠方照射用光源の指向特性を示す説明図である。
【図１６】加速度センサおよび積分回路を設けた場合のカプセル内視鏡の電気的構成を示すブロック図である。
【図１７】ｐＨセンサを設けた場合のカプセル内視鏡の電気的構成を示すブロック図である。
【図１８】フレームレートの推移例を示す説明図である。
【図１９】制御コマンドの例を示す説明図である。
【符号の説明】
【０１２２】
２  カプセル内視鏡システム
１１、１００、１１０、１２０  カプセル内視鏡（ＣＥ）
１２  受信装置
１３  ワークステーション（ＷＳ）
１４ａ、１４ｂ  電波
１８  アンテナ
１９  電界強度測定センサ
３３  撮像素子
３４  撮像部
３６、１０１  照明光源部
３９  アンテナ
５０  ＣＰＵ
５０ａ  クロック回路
５２  ＲＡＭ
５３  ドライバ
５４  ＡＦＥ
５５  送受信回路
５７  復調回路
７０  ＣＰＵ
７０ａ  クロック回路
７４  送受信回路
７５  変調回路
７８  データストレージ
７９  位置検出回路
８０  データベース
８１  データ解析回路
９０  ＣＰＵ
９５  データストレージ
１１１  加速度センサ
１１２  積分回路
１２１  ｐＨセンサ
【図１】
2008237639.tif 000003
【図２】
2008237639.tif 000004
【図３】
2008237639.tif 000005
【図４】
2008237639.tif 000006
【図５】
2008237639.tif 000007
【図６】
2008237639.tif 000008
【図７】
2008237639.tif 000009
【図８】
2008237639.tif 000010
【図９】
2008237639.tif 000011
【図１０】
2008237639.tif 000012
【図１１】
2008237639.tif 000013
【図１２】
2008237639.tif 000014
【図１３】
2008237639.tif 000015
【図１４】
2008237639.tif 000016
【図１５】
2008237639.tif 000017
【図１６】
2008237639.tif 000018
【図１７】
2008237639.tif 000019
【図１８】
2008237639.tif 000020
【図１９】
2008237639.tif 000021